(57)【要約】      （修正有）【課題】演奏情報に演奏者情報を付加して記録することができる演奏記録装置を提供する。【解決手段】記録システムは、演奏を記録する演奏記録部８と、演奏を行う演奏者を生体認証に基づいて特定する識別部９と、演奏記録部８により記録された演奏データに識別部９により特定された演奏者データを付加して記憶する記憶部１０とを備える。これにより、記録システムは演奏データに生体認証により特定された演奏者データを付加して記録することができる。【選択図】図２
2017032626.tif 000002
【特許請求の範囲】
【請求項１】
演奏を記録する演奏記録部と、
前記演奏を行う演奏者を生体認証に基づいて特定する識別部と、
前記演奏記録部により記録された演奏情報に前記識別部により特定された演奏者情報を付加して記憶する記憶部と、を備えることを特徴とする演奏記録装置。
【請求項２】
前記演奏者を撮影するカメラを備え、
前記生体認証は前記カメラにより撮影された顔の画像に基づいた顔認証であることを特徴とする請求項１に記載の演奏記録装置。
【請求項３】
演奏を記録する演奏記録部と、
演奏者に固有の識別情報を検出する検出部と、
前記演奏記録部により記録された演奏情報に前記検出部により検出された前記識別情報により特定された演奏者情報を付加して記憶する記憶部と、を備えることを特徴とする演奏記録装置。
【請求項４】
前記識別情報は、前記演奏者が所有する情報デバイスが有する情報であることを特徴とする請求項３に記載の演奏記録装置。
【請求項５】
前記識別情報は、前記演奏者に付与された情報であり、
前記検出部は、前記演奏者による前記識別情報の入力により検出することを特徴とする請求項３に記載の演奏記録装置。
【発明の詳細な説明】
【技術分野】
【０００１】
本発明は、演奏の記録に関するものである。
【背景技術】
【０００２】
従来より、演奏を記録することができる楽器がある。特許文献１には、携帯端末が検知されると、演奏情報の記録を開始する楽器が記載されている。
【先行技術文献】
【特許文献】
【０００３】
【特許文献１】特開２０１４−２２８７５０号公報
【発明の概要】
【発明が解決しようとする課題】
【０００４】
ところで、記録された複数の演奏情報のうち特定の演奏者による演奏情報を再生したい場合など記録された演奏情報が何れの演奏者のものであるかを判別したい場合がある。また、複数の演奏者により１つの演奏が行われる場合、特定の演奏者の演奏情報を抽出したい場合がある。例えば、教習において生徒と講師とで演奏された１つの曲を記録しておき、教習後、生徒が復習のため講師の演奏部分のみを再生したい場合などである。従来の記録機能を有する楽器では、複数の演奏者による演奏であっても、１つの演奏情報として記録されてしまう。このため、特定の演奏者による演奏のみを再生したい場合には、例えば演奏情報を再生し、該当箇所を探さなくてはならなかった。そこで、演奏情報に演奏者情報を付加すれば、特定の演奏者による演奏情報を容易に探すことができるため、予め演奏者情報を付加して演奏情報を記録することができる記録装置が要請されていた。
【０００５】
本願は、上記の課題に鑑み提案されたものであって、演奏情報に演奏者情報を付加して記録することができる演奏記録装置を提供することを目的とする。
【課題を解決するための手段】
【０００６】
本願に係る演奏記録装置は、演奏を記録する演奏記録部と、演奏を行う演奏者を生体認証に基づいて特定する識別部と、演奏記録部により記録された演奏情報に識別部により特定された演奏者情報を付加して記憶する記憶部と、を備えることを特徴とする。これにより、演奏記録装置は演奏情報に生体認証により特定された演奏者情報を付加して記録することができる。ここで、演奏情報とは、例えば、演奏に基づいたＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式のデータ、オーディオデータなどである。また、演奏者情報とは、例えば、演奏者の氏名など、演奏者を特定する情報である。また、生体認証とは、例えば、顔、体重、声紋、指紋、静脈、光彩などの固有の特徴により個人を特定する個人認証である。
【０００７】
また、本願に係る演奏記録装置において、演奏者を撮影するカメラを備え、生体認証はカメラにより撮影された顔の画像に基づいた顔認証としても良い。これにより、演奏記録装置は演奏者をカメラで撮影することにより、演奏情報に演奏者情報を付加して記録することができる。
【０００８】
また、本願に係る演奏記録装置は、演奏を記録する演奏記録部と、演奏者に固有の識別情報を検出する検出部と、演奏記録部により記録された演奏情報に検出部により検出された識別情報により特定された演奏者情報を付加して記憶する記憶部と、を備えることを特徴とする。演奏記録装置は演奏者に固有の識別情報を検出部で検出する。ここで、識別情報とは、例えば演奏者固有のシリアル番号やＩＤ番号などである。演奏記録装置は識別情報により演奏者を特定することができるため、演奏情報に演奏者情報を付加して記録することができる。
【０００９】
また、本願に係る演奏記録装置において、識別情報は、演奏者が所有する情報デバイスが有する情報である構成としても良い。ここで、情報デバイスとは、例えばＩＣカード、電子タグ、携帯端末などである。例示するＩＣカード、電子タグ、携帯端末には、例えばシリアル番号、端末ＩＤ番号などの識別情報が付与されている。このため、演奏記録装置は演奏者が所有する情報デバイスに付与されている識別情報を検出部で検出することにより、演奏者を特定して、演奏情報に演奏者情報を付加して記録することができる。
【００１０】
また、本願に係る演奏記録装置において、識別情報は、演奏者に付与された情報であり、検出部は、演奏者による識別情報の入力により検出する構成としても良い。演奏者が識別情報を入力することにより、演奏記録装置は識別情報を検出することができる。これにより、演奏記録装置は入力された識別情報により演奏者を特定して、演奏情報に演奏者情報を付加して記録することができる。
【発明の効果】
【００１１】
本願に係る演奏記録装置によれば、演奏情報に演奏者情報を付加して記録することができる。
【図面の簡単な説明】
【００１２】
【図１】実施形態に係る記録システムの全体構成を示す図である。
【図２】記録システムの電気的構成を示すブロック図である。
【図３】認証記録処理の処理内容を示すフローチャートである。
【図４】記録データを示す図である。
【図５】携帯端末の表示を示す図である。
【発明を実施するための形態】
【００１３】
図１を用いて、本願に係る記録システム１の全体構成について説明する。記録システム１は楽器２、携帯端末１００を備えている。
【００１４】
楽器２は、鍵盤２１、ペダル２２、ハンマ（不図示）、および弦（不図示）などの一般的なアコースティックピアノが備える構成の他に、制御部３０、センサ４（図２）、駆動部５（図２）、カメラ６、およびマイクロフォン７などを備えている。携帯端末１００は、例えば携帯電話機、スマートフォン、タブレット端末等であり、記録システム１の動作状況を表示する機能および操作者からの指示を受け付ける機能を有するタッチパネル１０１（図２）を備える。カメラ６は広角レンズあるいは魚眼レンズを有し、演奏者が演奏している動画などを正面から撮影する。尚、カメラ６で取得された画像データは後述する識別部９（図２）にて平面化される。マイクロフォン７は演奏および操作者の声を音声データとして取得する。
【００１５】
次に、記録システム１の電気的構成について図２を用いて説明する。記録システム１は図１で示した構成の他に、センサ４、駆動部５、演奏記録部８、識別部９、および記憶部１０などを備える。制御部３０はＣＰＵ３１、制御記憶部３２、計時部３３などを含む。ＣＰＵ３１は制御記憶部３２に記憶されている各種のプログラムを実行することによって、各部を制御する。ここで、各部とは、制御部３０に接続されるセンサ４、駆動部５、カメラ６、マイクロフォン７、演奏記録部８、識別部９、および記憶部１０などである。制御記憶部３２は、ＣＰＵ３１が各種の処理を実行するための主記憶装置として用いられる。また、制御記憶部３２は、制御プログラム、後述する生成されたＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式の演奏データ、楽譜データなどを記憶する。ここで、楽譜データとは、五線譜形式、ＭＩＤＩ形式のデータが互いに関連づけられているデータである。計時部３３は時刻、録音開始からの経過時間などを計測する。
【００１６】
センサ４はＭＩＤＩ形式の演奏データを生成するために、鍵盤２１およびペダル２２などの動きを検出し、検出した演奏検出信号を制御部３０へ送信する。制御部３０は受信した演奏検出信号に基づいてＭＩＤＩ形式の演奏データを生成する。以下、演奏データとはＭＩＤＩ形式のデータを示す。駆動部５は、鍵盤２１などを駆動するアクチュエータなどを含む。制御部３０は駆動部５を例えばＭＩＤＩ形式の楽譜データに基づいて制御する。これにより、楽器２は自動演奏を行うことができる。演奏記録部８は、制御部３０から送信される演奏データ、カメラ６から送信される画像データ、およびマイクロフォン７から送信される音声データなどを記録する。識別部９は、カメラ６から送信される画像データに基づいた顔認証により演奏者を特定し、演奏者データを生成する。記憶部１０は演奏記録部８に記録される演奏データ、音声データに識別部９で生成された演奏者データを付加して記憶する。
【００１７】
制御部３０は通信機能を有し、携帯端末１００と例えば、ＬＡＮ（Ｌｏｃａｌ  Ａｒｅａ  Ｎｅｔｗｏｒｋ）を介して無線通信することができる。これにより、制御部３０は、操作者により操作された操作指示の受信などを行うことができる。尚、携帯端末１００には後述の記録処理を実行するプログラムを含むアプリケーションが予めインストールされている。
【００１８】
次に動作例である認証記録処理について図３を用いて説明する。ここでは、講師Ａが生徒Ｂに演奏の教習を行う状況を例に説明する。以下、操作を行う者が、講師Ａおよび生徒Ｂの何れかを問わない場合、操作者と記載する。
【００１９】
まず、操作者は記録システム１に演奏者を認証させ、記録させる（Ｓ１）。まず、操作者は携帯端末１００の認証記録処理を含むアプリケーションを起動させる。アプリケーションが起動されると、タッチパネル１０１には「登録」「録音」「再生」などのボタンが表示される初期画面が表示される。尚、操作者は「登録」「録音」「再生」を選択することにより、夫々演奏者の登録、演奏の録音、録音された演奏データの再生を行うことができる。
【００２０】
操作者により「登録」ボタンが選択されると、タッチパネル１０１にはカメラ６により撮影されている動画が表示されるとともに、認証開始の指示を受け付ける「開始」ボタン、登録終了の指示を受け付ける「終了」ボタンが表示される。操作者は「開始」ボタンを選択し、講師Ａは顔が撮影されるようにカメラ６の前に座る。制御部３０は、携帯端末１００から「開始」ボタンが選択されたことを報知する信号を受信すると、識別部９に抽出開始指令を送信する。識別部９は抽出開始指令を受信すると、カメラ６から送信される画像データから顔データを抽出する。ここで、顔データとは、例えば目、鼻などの位置、大きさなどを数値化した顔認証を行うためのデータである。識別部９は画像データから顔データの抽出を終了すると、制御部３０に抽出終了の信号を送信し、抽出された顔データを記憶する。制御部３０は抽出終了の信号を受信すると、携帯端末１００に抽出終了の信号を送信する。携帯端末１００は抽出終了の信号を受信すると、タッチパネル１０１に演奏者の氏名などを入力するための文字入力画面を表示する。操作者はタッチパネル１０１を操作し、氏名を「Ａ」と入力する。識別部９は入力された「Ａ」を携帯端末１００、制御部３０を介して受信すると、抽出した顔データが氏名「Ａ」と関連づけられた登録データを記憶する。生徒Ｂについても同様の処理を行うことにより、識別部９は生徒Ｂの顔データが氏名「Ｂ」と関連づけられた登録データを記憶する。次に、操作者により「終了」ボタンが選択されると、タッチパネル１０１には初期画面が表示される。
【００２１】
次に、操作者は「録音」ボタンを選択し、生徒Ｂは演奏を開始する。これにより、記録システム１は録音を開始する（Ｓ３）。「録音」ボタンが選択されると、タッチパネル１０１にはカメラ６により撮影されている動画が表示されるとともに、録音停止の指示を受け付ける「停止」ボタンが表示される。また、携帯端末１００は制御部３０へ録音開始信号を送信する。制御部３０は録音開始信号を受信すると、演奏記録部８および識別部９に録音開始指令を送信する。演奏記録部８は録音開始指令を受信すると、計時部３３により送信される日時とともに音声データおよび演奏データの記録を開始する。
【００２２】
次に、識別部９は演奏者を特定する（Ｓ５）。識別部９は録音開始指令を受信すると、カメラ６から送信される画像データと記憶している登録データとを照合し、顔認証により演奏者を特定する識別処理を実行する。尚、ここでは、演奏者のみカメラ６に撮影されているものとする。識別部９は所定時間毎に識別処理を実行し、録音開始信号を受信してからの経過時間と特定された演奏者とを関連づけた演奏者データを記憶する。例えば、「録音」ボタンが選択されてから１０分後に演奏者が生徒Ｂから講師Ａに交代した場合、０分０秒から１０分までの演奏者は「Ａ」、１０分以降の演奏者は「Ｂ」であると記憶される。
【００２３】
次に、操作者により「停止」ボタンが選択されると、記録システム１は録音を停止する（Ｓ７）。携帯端末１００は「停止」ボタンが選択されると、制御部３０へ録音停止信号を送信する。制御部３０は録音停止信号を受信すると、演奏記録部８および識別部９に録音停止指令を送信する。演奏記録部８は録音停止指令を受信すると、演奏データおよび音声データの記録を停止する。識別部９は録音停止指令を受信すると、識別処理を終了する。次に、記憶部１０は演奏記録部８から送信される演奏データおよび音声データに識別部９から送信される演奏者データを付加した演奏ファイルを作成、記録し（Ｓ９）、処理は終了する。
【００２４】
記憶部１０に記憶される演奏ファイルの構成を図４に示す。データは５つの区分Ｃ１〜Ｃ５で構成される。区分Ｃ１〜Ｃ５は夫々記憶されている演奏ファイルのシリアル番号、演奏者データ、録音開始日時、演奏データ、音声データである。記憶部１０は演奏データおよび音声データを演奏者データに基づき演奏者が変更された時点で分割し、時系列で記憶する。図４は、２０１５年６月１日１０時に録音が開始され、１０時１０分に演奏者が生徒Ｂから講師Ａに交代され、１０時２０分に演奏者が講師Ａから生徒Ｂに交代された場合を例示している。尚、図４では音声データの拡張子を、ＷＡＶ形式を示すｗａｖと記載しているが、ファイル形式を限定するものではない。ＷＡＶ形式以外に、例えば、ＭＰ３、ＷＭＡ、ＡＡＣ、Ｍ４Ａ、ＦＬＡＣ等のファイル形式でもよい。
【００２５】
次に、記憶された演奏ファイルの再生処理について説明する。タッチパネル１０１に表示される初期画面にて、操作者により「再生」ボタンが選択されると、タッチパネル１０１には図４に示す記憶部１０に記憶されている演奏ファイルの一覧が表示される。操作者により１つの演奏ファイルが選択されると、楽器２は選択された演奏ファイルに含まれる演奏データに基づいて自動演奏を行う。
【００２６】
ここで、演奏ファイルの使用例について説明する。例示した講習においては、例えば生徒Ｂが演奏を振り返るために、自己の演奏のみを聞き返す、あるいは講師Ａの模範演奏のみを簡易に聞き返すことができる。また、講師が複数の生徒を指導している場合には、講師は各生徒の演奏を聞くことにより、各生徒の特徴を抽出することができる。
【００２７】
尚、演奏ファイルの構成は上記に限定されない。例えば、録音開始から録音停止までの間に演奏者が交代された場合にも分割せずに一つの演奏データおよび音声データのまま記憶しても良い。この場合、例えば演奏データおよび音声データと、演奏者データとを録音開始日時に関連づけて記憶する。再生の際は、演奏者データを参照すれば、特定の演奏者により演奏された演奏データおよび音声データを録音開始からの時間を用いて抽出することができる。
【００２８】
ここで、ステップＳ５について補足する。上記の説明ではカメラ６に演奏者のみが撮影されている場合を例に説明した。複数人が撮影されている場合には、以下の処理により演奏者を特定することができる。図５に示す様に２人の人物が撮影されている場合を例に説明する。タッチパネル１０１にはカメラ６により撮影されている動画とともに、識別部９により抽出された顔データの領域Ｒ１、Ｒ２が例えば矩形図形によって示される。また、領域Ｒ３には、例えば、「演奏者：Ｒ１」のように、識別部９が特定する演奏者が表示されている。どちらを演奏者とするかは以下のように判断することができる。一つは、顔の位置が最も低い人物を演奏者とする。ここでは、領域Ｒ２よりも低位置にある領域Ｒ１の人物を演奏者とする。これは一般に、演奏者は椅子に座って演奏するためである。あるいは、鍵盤２１に手がかかっている領域Ｒ１の人物を演奏者とする。
【００２９】
あるいは、操作者がタッチパネル１０１を操作することにより演奏者の特定を切り替えられる構成としても良い。切替え方法としては、タッチパネル１０１に表示される「切替え」ボタンを操作する、カメラ６の前で例えば手を振るなどの予め設定された動作をする、タッチパネル１０１に表示される領域Ｒ１またはＲ２を選択するなどがある。具体的には、タッチパネル１０１に「切替え」ボタンを表示しておき、「切替え」ボタンが選択された場合に記録システム１は演奏者を切替える。記録システム１を画像データに基づき、人物の特定の動作を検出するように設定しておき、設定された動作が検出された場合に演奏者を切替える。操作者によりタッチパネル１０１に表示されている領域Ｒ１またはＲ２が選択されたことにより、記録システム１は選択された領域の人物を演奏者とする。
【００３０】
あるいは、カメラ６の撮影範囲のうち、所定範囲に入っている人物を演奏者とする。一般に、演奏者は楽器２の略中央に座って演奏する。そこで、所定範囲を中央付近に設定することにより、演奏者を特定することができる。
【００３１】
次に認証記録処理の変形例について説明する。
【００３２】
上記の説明では、ステップＳ１において、録音開始前に予め演奏者を登録すると説明したが、ステップＳ１をスキップしても良い。この場合、ステップＳ５においては、識別部９は画像データから顔データを抽出し、仮の演奏者、例えば「Ｘ」と関連づけた登録データを記憶する。演奏者が交代した際には、同様の処理を行い、演奏者を例えば「Ｙ」として記憶する。つまり、演奏者は「Ａ」「Ｂ」の代わりに「Ｘ」「Ｙ」として演奏データおよび音声データが記録される。尚、録音終了後、任意の時期に、仮の演奏者「Ｘ」を演奏者「Ａ」と更新できる構成とすれば良い。
【００３３】
また、ステップＳ１が終了しないとステップＳ３が実行できない処理としても良い。上記の説明では、アプリケーションを起動させるとタッチパネル１０１には初期画面に「登録」「録音」「再生」ボタンが表示されると説明した。この初期画面において、ステップＳ１に対応する「登録」が終了していない場合、ステップＳ３に対応する「録画」を選択できない構成とする。これにより、演奏者は必ず、登録した後に録音を行うことになる。これにより、ステップＳ１を忘れたまま録音されるのを防止し、演奏者が不明の演奏データおよび音声データが記憶されるのを防止することができる。尚、この構成は後述する操作者の入力によりステップＳ１、Ｓ５を行う構成において、より効果が期待できる。
【００３４】
次にステップＳ１、Ｓ５の変形例について説明する。上記では顔認証を用いて演奏者を特定すると説明したが、顔認証以外の生体認証を用いることができる。例えば、指紋、虹彩、静脈、声紋、体重などによる生体認証である。これらの生体認証を実現するために、楽器２には上記の構成の他に専用の検出器を備えれば良い。体重を認証に使用する場合、記録システム１は体重を測定可能な椅子を備えれば良い。尚、指紋、虹彩、静脈、声紋などによる生体認証を用いる場合、例えば検出器に指を押し当てる、瞳を近づける、手のひらをかざす、発声する、などの検出動作が必要である。従って、演奏者を特定する（Ｓ５）度に、つまり演奏者が交代する度に演奏者は検出動作を行う必要がある。この点、体重を用いた認証の場合、演奏者は演奏のため椅子に座るだけで簡易に演奏者を特定することができる。また、指紋認証の場合には、検出器を鍵盤２１に設置しても良い。これにより、演奏することに応じて演奏者が特定される。
【００３５】
あるいは、演奏者が所有するＩＣカード、電子タグ、携帯端末など、固有の識別番号が付与された情報デバイスを用いても良い。この場合、楽器２は上記の構成の他に検出部を備え、検出部に電子機器が有する識別番号を検出させれば良い。識別番号と例えば演奏者の氏名とを対応させることにより、容易に演奏者を特定することができる。以下、詳述する。
【００３６】
ＩＣカードを用いる場合について説明する。ＩＣカードには予め演奏者固有の登録番号が記憶されている。検出器は非接触によりＩＣカードに記憶された登録番号を読み取ることができる。ステップＳ１において、講師Ａおよび生徒Ｂは検出器にＩＣカードをかざすなどして登録番号を読み取らせた後、タッチパネル１０１にて例えば氏名を入力する。識別部９は登録番号と氏名とを関連付けた登録データを記憶する。ステップＳ５では、講師Ａおよび生徒Ｂは演奏を交代する度にＩＣカードを検出器にかざしてから演奏を行う。検出器により読み取られた登録番号は識別部９に送信される。識別部９は、登録番号と登録データとを照合し、演奏者を特定する。次に、経過時間と演奏者とを関連づけた演奏者データを記憶する。尚、検出器は接触式でもかまわない。また、ＩＣカードに限らず、例えば電子タグ、磁気カードなどでも良い。
【００３７】
携帯端末を用いる場合について説明する。携帯端末には固有の携帯ＩＤが付与されている。検出器は携帯端末が設置されるだけで携帯ＩＤを読み取ることができる、例えばクレードルである。ステップＳ１、Ｓ５はＩＣカードと同様に行う。つまり、ステップＳ１において、講師Ａおよび生徒Ｂは検出器に端末ＩＤを読み取らせた後、氏名を入力する。ステップＳ５では、講師Ａおよび生徒Ｂは演奏を交代する度に携帯端末を検出器に設置してからから演奏を行う。これにより、端末ＩＤは検出器により読み取られ、識別部９は端末ＩＤに基づき演奏者を特定することができる。
【００３８】
あるいは、タッチパネル１０１を用いて、操作者に演奏者の登録番号または氏名などを入力させる構成としても良い。具体的には、ステップＳ１において、講師Ａおよび生徒Ｂはタッチパネル１０１にて例えば登録番号を入力する。ステップＳ５では、講師Ａおよび生徒Ｂは演奏を交代する度にタッチパネル１０１にて例えば登録番号を入力してから演奏を行う。
【００３９】
また、ステップＳ３にて、識別部９は識別処理を実行し、演奏者を特定すると説明したが、識別処理に替えて、以下の処理により演奏者を特定しても良い。講習においては、一般に主に生徒Ｂが演奏し、講師Ａは指摘したい点を発見すると、生徒Ｂに演奏を中断させ、口頭で指摘し、例えば模範演奏などの演奏を行う。そこで、識別処理を省略し、録音が開始されると演奏者は生徒Ｂとして演奏者データおよび音声データを記憶する。次に、後述するトリガに応じて演奏者を講師Ａに変更し、演奏者データおよび音声データを記憶する。トリガは、例えば、演奏が中断されたと判断される場合、講師Ａの声が検出されたと判断される場合、鍵盤２１にかかっている腕が斜めになっていると判断される場合などである。具体的には、制御部３０は、演奏データあるいは音声データが所定時間以上検出されなかった場合、演奏が中断されたと判断する。また、講師Ａの声を予め記憶しておき、制御部３０は音声データに講師Ａの声が含まれていると判断した場合、講師Ａの声が検出されたと判断する。また、制御部３０は画像データに基づき、画像処理により、鍵盤２１にかかっている腕が斜めになっていると判断する。尚、鍵盤２１にかかっている腕が斜めになっている場合をトリガとするのは、一般に教習においては、生徒用の椅子の横に講師用の椅子を置き、講師Ａは講師用の椅子に座ったまま鍵盤２１の演奏位置まで腕を伸ばし演奏を行う状況があるためである。
【００４０】
ここで、記録システム１は演奏記録装置の一例である。また、顔認証は生体認証の一例である。また、演奏データは演奏情報の一例であり、演奏者情報は演奏者データの一例である。ＩＣカード、携帯端末は情報デバイスの一例であり、情報デバイスの有する登録番号および端末ＩＤ、操作者が入力する登録番号、氏名は識別情報の一例である。
【００４１】
以上、上記した実施形態によれば、以下の効果を奏する。
記録システム１は演奏データに生体認証により特定された演奏者データを付加して記録することができる。また、記録システム１は演奏者をカメラ６で撮影することにより、演奏データに演奏者データを付加して記録することができる。また、記録システム１は演奏者に固有の登録番号、端末ＩＤなどの識別情報を検出部で検出する。記録システム１は識別情報により演奏者を特定することができるため、演奏データに演奏者データを付加して記録することができる。また、記録システム１は演奏者が所有する情報デバイスに付与されている識別情報を検出部で検出することにより、演奏者を特定して、演奏データに演奏者データを付加して記録することができる。また、演奏者が識別情報を入力することにより、記録システム１は識別情報を検出することができる。これにより、記録システム１は検出された識別情報により、演奏者を特定して、演奏データに演奏者データを付加して記録することができる。
【００４２】
次に、第２実施形態について説明する。ここでは、異なる場所にいる講師Ａと生徒Ｂとで講習を行う所謂リモート講習を例に説明する。この場合、講師Ａと生徒Ｂとはそれぞれ楽器２および携帯端末１００を含む記録システム１を使用する。以下の説明において、講師Ａ、生徒Ｂが使用する記録システム１を夫々記録システム１Ａ、楽器２Ｂと記載する。また、図２に示す記録システム１を構成する各部についても符号の末尾にＡまたはＢと付けて区別する。携帯端末１００Ａと１００Ｂとはインターネットを介して通信することができる。
【００４３】
記録システム１Ａ、１Ｂは通信モードで動作を行う。通信モードでは、インターネットを介して接続されている複数の携帯端末１００のうちの１台をメイン携帯端末として設定する。メイン携帯端末は認証記録処理の各ステップの開始を制御する。
【００４４】
次に認証記録処理について説明する。まず、認証記録処理の前に、講師Ａおよび生徒Ｂは携帯端末１００Ａをメイン端末と設定する。通信モードでは、初期画面に表示される「登録」「録音」「再生」ボタンはメイン端末のみが選択可能となるように設定されている。講師Ａは初期画面にて「登録」ボタンを選択すると、記録システム１Ａ、１Ｂは独立して、第１実施形態のステップＳ１と同様の処理を行う。即ち、識別部９Ａは講師Ａの登録データを記憶し、識別部９Ｂは生徒Ｂの登録データを記録する。携帯端末１００Ａは携帯端末１００Ｂから登録処理が終了した信号を受信すると、初期画面にて「録音」ボタンを選択とする。
【００４５】
次に、講師Ａは初期画面にて「録音」ボタンを選択すると、演奏記録部８Ａ、８Ｂは演奏データの記録を開始する。また、識別部９Ａ、９Ｂは演奏者データを記録する。制御部３０はセンサ４からの信号が所定時間以上受信されていないと判断すると演奏記録部８Ａ、８Ｂに演奏中断信号を送信する。演奏記録部８Ａ、８Ｂは演奏中断信号を受信すると、演奏データおよび音声データの記録を中止する。次に、制御部３０はセンサ４からの信号を受信すると、演奏再開信号を演奏記録部８Ａ、８Ｂに送信する。演奏記録部８Ａ、８Ｂは演奏再開信号を受信すると、演奏データおよび音声データの記録を再開する。つまり、センサ４からの信号に基づいて演奏データおよび音声データを分割する。第１実施形態では、１台の楽器２を講師Ａと生徒Ｂとが交代で演奏するため、画像データに撮影される人物を演奏者と特定することができる。一方、第２実施形態では、演奏しない場合にも画像データに撮影されてしまうため、演奏者を特定するため、画像データに撮影されている人物が演奏しているか否かを判断する必要がある。
【００４６】
次に、第１実施形態のステップＳ５と同様に、識別部９は識別処理を実行する。次に、講師Ａにより「停止」ボタンが選択されると、第１実施形態のステップＳ７、Ｓ９と同様に記録システム１Ａ、１Ｂは録音を停止し、記憶部１０Ａ、１０Ｂは演奏ファイルを作成し、記録する。次に、携帯端末１００Ｂは携帯端末１００Ｂに記憶部１０Ｂに記憶されている演奏ファイルを送信する。記憶部１０Ａは端末１００Ｂから送信された演奏ファイルを記憶する。記憶部１０Ａは演奏データおよび音声データを時系列に並べ替える処理を行う。尚、例示する場合の様に演奏記録部８Ａに記憶される演奏データおよび音声データの演奏者は必ず講師Ａであると決まっている場合には、識別処理は省略しても良い。
【００４７】
尚、上記の処理に限定されず、第１実施形態において記載した変形例などを適宜組み合わせ、変形することができる。例えば、第１実施形態のステップＳ５の補足説明のように演奏者を特定すれば、実際の演奏を反映した演奏者データが生成されるため、演奏データおよび音声データを分割する必要はない。第１実施形態で説明した顔認証においては、識別部９Ａは録音開始から録音停止までの間、演奏していない期間も、講師Ａはカメラ６Ａに撮影され続けるため、識別部９Ａは講師Ａが演奏者であると判断してしまう。このため、演奏が行われている期間ごとに演奏データを分割する必要があった。これに替えて、演奏に応じて演奏者が選択された演奏者データを生成するようにすれば、演奏データを分割する必要はない。録音開始から録音停止まで１つの演奏データおよび音声データであっても、特定の演奏者による演奏を演奏者データにより特定することができる。
【００４８】
次に第３実施形態について説明する。ここでは、演奏者Ｃと演奏者Ｄとで連弾される場合を例に説明する。連弾による演奏では、一般に高音域と低音域とで演奏者が区別される。そこで、演奏データを所定の音域で分割し、それぞれ演奏者と関連づける。具体的には、演奏記録部８は演奏データを所定の音域で分割し記録する。識別部９は画像データのうち左側、右側の人物を夫々高音域、低音域を演奏している人物と判断する。例えば、演奏者Ｃは楽器２に向かって右側に座り、高音域を担当し、演奏者Ｄは楽器２に向かって左側に座り、低音域を担当する場合を例に説明する。識別部９は、画像データの左側の演奏者Ｃは高音域を、右側の演奏者Ｄは低音域をそれぞれ担当していると判断し記憶する。録音終了後、記憶部１０は演奏記録部８が記録する高音域の演奏データを演奏者Ｃとして、また低音域の演奏データを演奏者Ｄとして記録する。尚、演奏データの分割は上記に限定されず、例えば、ＭＩＤＩ形式の楽譜データとのマッチングにより分割しても良い。
【００４９】
尚、本発明は前記実施形態に限定されるものではなく、本発明の趣旨を逸脱しない範囲内での種々の改良、変更が可能であることは言うまでもない。
例えば、楽器２はアコースティックピアノの機能を有すると説明したが、これに限定されない。オルガンなどの他の鍵盤楽器、あるいは、マリンバ、ドラムなどの打楽器の機能を有する楽器、あるいは、電子回路を含む音源を備える電子楽器にも適用することができる。
【００５０】
また、楽器２はセンサ４、駆動部５を備えると説明したが、これに限定されず、センサ４および駆動部５のいずれか一方、あるいは両方を備えなくても良い。センサ４および駆動部５を備えない楽器についても、音声データを記憶する場合に本発明を適用することができる。
【００５１】
また、記録システム１は広角レンズまたは魚眼レンズを有するカメラ６を備えると説明したが、広角レンズあるいは魚眼レンズ以外の通常レンズを有するカメラ６を備えても良い。通常レンズを有するカメラ６を備える場合には、カメラを複数備えることにより、楽器２の鍵盤２１の全域を撮影できる構成としても良い。尚、レンズの種類を問わず、カメラ６を複数備える構成としても良い。
【００５２】
また、記録システム１の構成は上記に限定されない。例えば、記録システム１は携帯端末１００を備えると説明したが、タッチパネルを有する表示部により構成されても良い。この場合、記録処理を実行するプログラムを例えば制御記憶部３２に記憶することで、処理に応じて表示部を制御することができる。また、表示部はタッチパネルに限らず、例えば液晶ディスプレイなどの表示装置と操作を受け付けるボタン群などの入力装置を備えた装置でも良い。携帯端末１００を備えない場合、楽器２は例えばインターネット通信用のインターフェースを備える構成とすれば、第２実施形態で示すリモート講習を行うことができる。また、演奏記録部８、識別部９、および記憶部１０は楽器２とは別に備えられると説明したが、これに限定されず、楽器２が備える構成としても良い。また、演奏記録部８、識別部９、および記憶部１０を備えず、制御部３０が実行するプログラムによって実現されても良い。また、カメラ６、マイクロフォン７は楽器２に備えられると説明したが、これに限定されず、楽器２とは別に備え、有線あるいは無線通信により制御部３０と接続しても良い。また、制御部３０はＣＰＵ３１などにより構成されると説明したが、例えばＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）などの回路群によって実現しても良いし、ＣＰＵとＡＳＩＣとの組み合わせにより実現しても良い。
【００５３】
また、記録システム１は演奏データおよび音声データを記録すると説明したが、これに限定されず、演奏データおよび音声データのいずれか一方でも良いし、画像データなど、その他のデータを記録する構成としても良い。
【００５４】
また、演奏データおよび音声データと楽譜データとを関連づけて記憶しても良い。楽譜データと関連づけることにより、五線譜形式の楽譜に演奏者データを追加して表示させ、楽譜の選択した位置から演奏を再生することができる。具体的には、例えばＭＩＤＩ形式の楽譜データと演奏データとのマッチングにより、演奏データと楽譜データとを関連づける。
【００５５】
また、認証記録処理において、ステップＳ１は録音の前の任意の時期に実施しても良い。
【００５６】
また、第１実施形態では、演奏者が２人の場合を例示したが、演奏者が一人、あるいは３人以上の場合にも適用することができる。
【符号の説明】
【００５７】
１      記録システム
２      楽器
６      カメラ
７      マイクロフォン
８      演奏記録部
９      識別部
１０      記録部
３０      制御部
１００      携帯端末
【図１】
2017032626.tif 000003
【図２】
2017032626.tif 000004
【図３】
2017032626.tif 000005
【図４】
2017032626.tif 000006
【図５】
2017032626.tif 000007